【手続補正書】
【提出日】平成15年12月9日(2003.12.9)
【手続補正１】
【補正対象書類名】明細書
【補正対象項目名】特許請求の範囲
【補正方法】変更
【補正の内容】
【特許請求の範囲】
【請求項１】
取得した画像データを電灯線上に接続された機器に送信するカメラユニットにおいて、前記電灯線と制御部との間に接続され、前記機器とカメラユニットとの間で通信を行う場合に、前記電灯線に重畳される信号の変復調処理をする変復調部と、画像を撮影し前記制御部に送信するカメラ部と、前記変復調部で復調して受信した情報を解析し、前記情報が画像データを取得する内容である場合に、前記カメラ部を制御して取得した画像データを前記変復調部に送信して変調し、前記電灯線に重畳させる重畳部とで構成してなるカメラユニット。
【請求項２】
取得した画像データを電灯線上に接続された機器に送信するカメラユニットにおいて、電灯線と制御部との間に接続され、前記機器とカメラユニットとの間でコマンド及びデータの通信を行う場合に、前記電灯線に重畳される信号の変復調処理をする変復調部と、画像を撮影し前記制御手段に送信するカメラ部と、前記変復調処理部で復調して受信した前記コマンドおよび前記データを解析し、前記コマンドが画像データを取得する内容である場合に、前記カメラ装置を制御して取得した画像データを前記変復調部に送信して変調し、前記電灯線に重畳させる重畳部とで構成されたカメラユニット。
【請求項３】
取得した画像データを電灯線上に接続された機器に送信するカメラユニットにおいて、電灯線と制御部との間に接続され、前記機器とカメラユニットの間でコマンド及びデータの通信を行う場合に、前記電灯線に重畳される信号の変復調処理をする変復調部と、画像を撮影し前記制御手段に送信するカメラ部と、前記制御部の動作モードを保持する動作モード保持部と、前記変復調部で復調して受信した前記コマンドおよび前記データを解析し、前記コマンドおよび前記データが前記動作モードを設定する内容である場合、前記データを前記動作モード保持部に保存し、前記コマンドが画像データを取得する内容である場合、前記動作モード保持手段に保持されている動作モードが特定の動作モードである場合に限り、前記カメラ装置を制御して取得した画像データを前記変復調部に送信して変調し、前記電灯線に重畳させる重畳部とで構成されたカメラユニット。
【請求項４】
電灯線を用いて通信を行う電灯線搬送システム上で、前記電灯線上に接続された何れかの機器からの遠隔操作コマンドに従って取得した画像データを前記機器に送信するカメラユニットにおいて、電灯線と制御部との間に接続され、前記電灯線上に接続された何れかの機器とカメラユニットの間でコマンド及びデータの通信を行う際に、前記電灯線に重畳される信号の変復調処理をする変復調部と、前記制御部の制御により、画像を撮影し前記制御部に送信するカメラ部と、前記制御部の動作モードを保持する動作モード保持部と、前記変復調部で復調して受信した前記コマンドおよび前記データを解析し、前記コマンドおよび前記データが前記動作モードを設定する内容である場合、前記データを前記動作モード保持部に保存し、かつ、前記コマンドが画像データを取得する内容である場合、前記動作モード保持部に保持されている動作モードが特定の動作モードである場合に限り、前記カメラ部を制御して取得した画像データを前記変復調部に送信して変調し、前記電灯線に重畳させる重畳部とで構成し、前記電灯線上に接続された機器からの遠隔操作コマンドに従って取得した画像データを前記電灯線上に接続された機器に送信する機能に対して、特定の動作モードの場合にのみ制限を加えることができ、プライバシーの保護を可能とすることを特徴とするカメラユニット。
【請求項５】
動作モード保持部に不揮発性メモリを用いた請求項１ないし４いずれかに記載の電灯線搬送システム用カメラユニット。
【請求項６】
スイッチ等の切替手段からなるカメラユニットの動作モードを設定入力し、制御部に出力する動作モード設定部を備え、前記動作モード設定部より入力した動作モードを動作モード保持手段に保持する請求項１ないし４いずれかに記載のカメラユニット。
【請求項７】
動作モード保持部に保持した動作モード情報を、変復調部および前記変復調部の接続された電灯線を介して前記電灯線上に接続された全ての機器に伝送通知する請求項１ないし請求項４いずれかに記載のカメラユニット。
【請求項８】
電灯線を用いて通信を行う電灯線搬送システムで、取得した画像データを前記電灯線上に接続された何れかの機器に送信するカメラユニットにおいて、電灯線と制御部との間に接続され、前記電灯線上に接続された何れかの機器とカメラユニットの間でコマンド及びデータの通信を行う際に、前記電灯線に重畳される信号の変復調処理をする変復調部と、前記制御部の制御により、画像を撮影し前記制御部に出力するカメラ部と、前記制御部に入力された前記画像データを保持する不揮発メモリまたは電源バックアップ機能付メモリからなる画像データ保持部と、前記カメラユニットに供給される電源が停電後、前記電源が復電することで、前記カメラユニットが動作開始した時に、前記画像データ保持部に保持されている画像データを前記変復調部に送信して変調し、前記電灯線に重畳させる重畳部とで構成され、カメラユニットの復電時に、前記カメラユニットが停電する前の保持画像を前記電灯線上に接続された機器に送信することで、前記電灯線上に接続された機器で確認することができることを特徴とするカメラユニット。
【請求項９】
カメラユニットに供給される電源の停電検出機能と、前記停電検出機能により停電を検出した時に、カメラ装置を制御して前記カメラ装置から取得した画像データを画像データ保持手段に保持する機能とを備えた請求項８記載のカメラユニット。
【請求項１０】
電灯線を用いて通信を行う電灯線搬送システムで、取得した画像データを前記電灯線上に接続された何れかの機器に送信するカメラユニットにおいて、電灯線と制御部との間に接続され、前記電灯線上に接続された何れかの機器とカメラユニットの間でコマンド及びデータの通信を行う際に、前記電灯線に重畳される信号の変復調処理をする変復調部と、前記制御部の制御により、画像を撮影し前記制御部に送信するカメラ部と、前記カメラ部で前記制御部に取得された前記画像データを入力し、１回前に入力した画像データとの間の変化を検出した場合に、前記制御部に変化通知を出力をする画像データ解析部と、前記カメラ部を制御して繰り返し取得した画像データを前記画像データ解析部に順次出力するとともに、前記画像データ解析部から出力される前記変化通知を入力した場合、前記画像データ解析部で前期変化通知を出力するために使用した最新の画像データを前記変復調部に送信して変調し、前記電灯線に重畳させる重畳部とで構成され、監視している画像内容に動きが発生した時の画像データを、前記電灯線上に接続された機器に送信することで、監視画像の変化発生情報とその時の画像データを前記電灯線上に接続された機器に発信できることを特徴とした電灯線搬送システム用カメラユニット。
【請求項１１】
電灯線を用いて通信を行う電灯線搬送システムで、取得した画像データを前記電灯線上に接続された何れかの機器に送信するカメラユニットにおいて、電灯線と制御部との間に接続され、前記電灯線上に接続された何れかの機器とカメラユニットの間でコマンド及びデータの通信を行う場合に、前記電灯線に重畳される信号の変復調処理
をする変復調処理部と、前記制御部の制御により、画像を撮影し前記制御部に送信するカメラ部と、カメラユニット起動後に所定のタイミングで始動した後、所定の時間を経過するとタイムオーバーの情報を制御部に出力するタイマーと、前記カメラ部で前記制御部に取得された前記画像データを入力し、同様に１回前に入力した画像データとの間の変化を検出した場合に、前記制御部に変化通知を出力をする画像データ解析部と、前記カメラ部を制御して繰り返し取得した画像データを画像データ解析部に順次出力するとともに、前記画像データ解析部から出力される前記変化通知を入力した場合、前記タイマーのタイマー値をリセットする一方、前記タイマーからタイムオーバーの情報を入力した場合には、前記カメラ部から取得した最新の画像データを前記電灯線搬送部に送信して変調し、前記電灯線に重畳させる重畳部とで構成され、一定期間、監視している画像内容に動きが無かった時の画像データを前記電灯線上に接続された機器に送信することで、監視画像に一定期間変化の無かったことの情報とその時の確認画像データを前記電灯線上に接続された機器に発信できることを特徴としたカメラユニット。
【請求項１２】
電灯線を用いて通信を行う電灯線搬送システムで、取得した画像データを前記電灯線上に接続された何れかの機器に送信するカメラユニットにおいて、電灯線と制御部との間に接続され、前記電灯線上に接続された何れかの機器とカメラユニットの間でコマンド及びデータの通信を行う際に、前記電灯線に重畳される信号の変復調処理をする変復調部と、前記制御部の制御により、画像データを撮影し前記制御手段に送信するカメラ部と、カメラユニット起動後に所定のタイミングで始動した後、所定の時間ごとに画像データ取得タイミング情報を制御部に出力するタイマーと、前記タイマーより出力される画像データ取得タイミング情報を入力する度に前記カメラ部から取得した画像データを前記変復調部に送信して変調し、前記電灯線に重畳させる重畳部とで構成され、監視画像データを定期的に前記電灯線上に接続された機器に発信できることを特長としたカメラユニット。
【手続補正２】
【補正対象書類名】明細書
【補正対象項目名】００１７
【補正方法】変更
【補正の内容】
【００１７】
【課題を解決するための手段】
上記課題を解決するために、本発明の第１のカメラユニットは、取得した画像データを電灯線上に接続された機器に送信するカメラユニットにおいて、電灯線と制御部との間に接続され、前記機器とカメラユニットとの間で通信を行う場合に、前記電灯線に重畳される信号の変復調処理をする変復調部と、画像データを撮影し前記制御部に送信するカメラ部と、電灯線搬送装置で復調して受信した情報を解析し、前記情報が画像データを取得する内容である場合に、前記カメラ部を制御して取得した画像データを前記変復調部に送信して変調し、前記電灯線に重畳させる重畳部とで構成してなる。


【手続補正３】
【補正対象書類名】明細書
【補正対象項目名】００１８
【補正方法】変更
【補正の内容】
【００１８】
本発明第２のカメラユニットは、取得した画像データを電灯線上に接続された機器に送信するカメラユニットにおいて、電灯線と制御部との間に接続され、前記機器とカメラユニットとの間でコマンド及びデータの通信を行う場合に、前記電灯線に重畳される信号の変復調処理をする変復調部と、画像データを撮影し前記制御手段に送信するカメラ部と、前記変復調処理部で復調して受信した前記コマンドおよび前記データを解析し、前記コマンドが画像データを取得する内容である場合に、前記カメラ装置を制御して取得した画像データを前記変復調部に送信して変調し、前記電灯線に重畳させる重畳部とで構成される。


【手続補正４】
【補正対象書類名】明細書
【補正対象項目名】００１９
【補正方法】変更
【補正の内容】
【００１９】
本発明第３のカメラユニットは、取得した画像データを電灯線上に接続された機器に送信するカメラユニットにおいて、電灯線と制御部との間に接続され、前記機器とカメラユニットの間でコマンド及びデータの通信を行う場合に、前記電灯線に重畳される信号の変復調処理をする変復調部と、画像データを撮影し前記制御手段に送信するカメラ部と、前記制御部の動作モードを保持する動作モード保持部と、前記変復調部で復調して受信した前記コマンドおよび前記データを解析し、前記コマンドおよび前記データが前記動作モードを設定する内容である場合、前記データを前記動作モード保持部に保存し、前記コマンドが画像データを取得する内容である場合、前記動作モード保持手段に保持されている動作モードが特定の動作モードである場合に限り、前記カメラ装置を制御して取得した画像データを前記電灯線搬送装置に送信して変調し、前記電灯線に重畳させる重畳部とで構成される。


【手続補正５】
【補正対象書類名】明細書
【補正対象項目名】００２０
【補正方法】変更
【補正の内容】
【００２０】
本発明第４のカメラユニットは、電灯線を用いて通信を行う電灯線搬送システム上で、前記電灯線上に接続された何れかの機器からの遠隔操作コマンドに従って取得した画像データを前記機器に送信するカメラユニットにおいて、電灯線と制御部との間に接続され、前記電灯線上に接続された何れかの機器とカメラユニットの間でコマンド及びデータの通信を行う際に、前記電灯線に重畳される信号の変復調処理をする変復調部と、前記制御部の制御により、画像データを撮影し前記制御部に送信するカメラ部と、前記制御部の動作モードを保持する動作モード保持部と、前記変復調部で復調して受信した前記コマンドおよび前記データを解析し、前記コマンドおよび前記データが前記動作モードを設定する内容である場合、前記データを前記動作モード保持部に保存し、かつ、前記コマンドが画像データを取得する内容である場合、前記動作モード保持部に保持されている動作モードが特定の動作モードである場合に限り、前記カメラ部を制御して取得した画像データを前記変復調部に送信して変調し、前記電灯線に重畳させる重畳部とで構成し、前記電灯線上に接続された機器からの遠隔操作コマンドに従って取得した画像データを前記電灯線上に接続された機器に送信する機能に対して、特定の動作モードの場合にのみ制限を加えることができ、プライバシーの保護を可能とする。